(57)【特許請求の範囲】
【請求項１】
箱形荷台の開口部を，枢着された断面L字形屋根により密閉する密閉構造物であって，
前記屋根の，前記開口部の縁に面する端部に取り付けられる細片と
前記開口部の前記縁の外側部で，前記細片に対応する位置に設けられ，固定のために前記細片と係合可能な固定具と，
を有してなり、
前記屋根の前記端部にそって，可撓片が下方に伸びたウェザーストリップが取り付けられ，
前記開口部の前記縁の内側部と外側部との間に傾斜部が形成され，
前記屋根が前記開口部を閉じたときに，前記可撓片が，前記縁の前記傾斜部に接し、
前記細片は，水平部と，該水平部の縁から垂直に伸びる垂直部とからなり，
前記水平部は，前記屋根の前記端部の内側に伸びる水平溝に嵌合して，固定され，前記ウェザーストリップは，前記屋根の前記端部の下面に取り付けられる，ことを特徴とする密閉構造物。
【請求項２】
請求項１に記載の密閉構造物であって，
前記荷台の前記開口部は，前記荷台に枢着された煽り部と，前記屋根により開閉され，
前記開口部の前記縁の前記傾斜部は，前記煽り部の上部と外側部との間の形成される傾斜部である，ところの密閉構造物。
【請求項３】
箱形荷台の開口部を，枢着された断面L字形屋根により密閉する密閉構造物であって，
前記屋根の，前記開口部の縁に面する端部に取り付けられた細片と，
前記開口部の前記縁の外側部で，前記細片に対応する位置に設けられ，固定のために前記細片と係合可能な固定具と，
を有してなり，
前記屋根の前記端部にそって，ウェザーストリップが取り付けられ，
前記ウェザーストリップは，下方に伸びた可撓部を有し，
前記細片は，水平部と，該水平部の縁から垂直に伸びる垂直部とからなり，
前記水平部は，前記屋根の前記端部の内側に伸びる水平溝に嵌合して，固定され，前記ウェザーストリップは，前記屋根の前記端部の下面に取り付けられる，ことを特徴とする密閉装置。
【請求項４】
請求項１または３に記載の密閉構造物であって，
前記荷台の前記開口部は，前記荷台に枢着された煽り部と，前記屋根により開閉され，
前記固定具は，前記煽り部の外側部に設けられる，ところの密閉構造物。
【請求項５】
請求項１または３に記載の密閉構造物であって，
前記屋根の前記端部の外側下方に，外側伸長部が伸長し，
前記細片の前記垂直部は，前記伸長部にも固定される，ところの密閉装置。
【発明の詳細な説明】
【０００１】
【発明の属する技術分野】
本発明は，断面L字形屋根により荷台の（側方）開口部を閉じたときに，密閉を行うための密閉構造物に関し，とくに端部に設けられたウェザーストリップが設けられた断面L字形屋根により荷台の開口部を閉じたときに，密閉を行う密閉構造物に関する。
【０００２】
【従来の技術および発明が解決しようとする課題】
図１に，ウイング式屋根をもつ車両1の斜視図を示す。車両1は，荷台に断面がL字形となるウイング式屋根2，3が枢着され，側方開口部全体で，荷物の搬入，搬出が行えるようにしている。
【０００３】
荷台の床面の縁には煽り部4が枢着され，この煽り部と，ウイング式屋根により，荷台の開口部を開閉している。
【０００４】
この煽り部4は，図２に示されているように，通常，複数の細長い部材4’をロッド5により連結し，上端でボルトにより締め付けて構成されている。煽り部4は，荷の搬入，搬出の際に，ウイング式屋根とともに開かれ，作業の終了とともに，ウイング式屋根とともに閉じられる。
【０００５】
図３は，ウイング式屋根の端部10（閉じたとき，煽り部の上部に面する部分）の端面を，煽り部4とともに示す。この図から分かるように，ウイング式屋根3の端部10は，煽り部4の上部を部分的に覆うように伸長する伸長部3’が設けられ，また，その端部下面には，長手方向にそって溝11が形成され，その中にウェザーストリップ12の上部が嵌合している。ウェザーストリップ12は，断面が略O状の本体部12aと，下方に伸びる可撓片12bとからなり，可撓片12bが煽り部4の上部と接することで，荷台の開口部を密閉している。
【０００６】
図３（A）は，図２により示したように，上端にボルト6が突き出た状態の煽り部に，ウイング式屋根3が閉じて，ウェザーストリップ12が接した状態の部分端面図である。ボルト6は図２のように，ある間隔をおいて位置するが，ウェザーストリップ12がボルト6と接するところでは，ウェザーストリップ12と煽り部4の上端と接することができないために，雨水が中に浸入することがある。
【０００７】
そのため，ボルト6を覆う，覆い部14をもつ煽り部が，図３（B）に示されている。このような構成は，ウェザーストリップ12と煽り部との接触は改善されるが，覆い部14をもつ煽り部はコスト高になるばかりか，組み立てが煩雑になる。また，図３（C）に示されているように，煽り部の組み立て完了後に，ウイング式屋根の歪み（このような屋根は非常に大きく，組み立て，取り付けに僅かな歪みがあってもその端部においては大きくなる）などにより，ウェザーストリップ12の可撓部12bではなく，本体部12aが煽り部4の状態と接し，ウイング式屋根が完全に閉じない場合がある。かかる場合は，屋根の組立を再度やり直すことになる。
【０００８】
ウイング式屋根の大きさや，かかる屋根をもつ車両の用途によっては，図４（A）に示されているように，ウイング式屋根と煽り部とを固定する固定具が使用される場合がある。固定具20は通常，煽り部4の外側部に取り付けられ，ウイング式屋根3の伸長部3’の内側に断面L字の補助片21が取り付けられ，補助片21を固定具20が押さえることにより固定される（図４（B））。したがって，補助片21には，固定しているときは常に力が作用する。そのために，補助片21の水平部21aと垂直部21bが屋根の端部10と伸長部3’とにしっかりと固定されている。
【０００９】
図３に示されているように，ウイング式屋根と煽り部との間で，密閉が必要なときは，ウェザーストリップを使用することが一般的であるが，補助片の水平部21aが端部10と接するために，ウェザーストリップを一部切り欠く（図５（A））などを行い，水平部21aを端部10に取り付けざるをえない。しかし，切り欠きしたところは，開放されているため，雨水の浸入が避けられない。
【００１０】
一方，ウェザーストリップ12と煽り部4の上端との接触を完全にするために，補助片21を単に平坦部材とし，伸長部3’に固定したのでは（図５（B）），固定部からの力に耐えられない。このように，ウイング式屋根において，固定具を使用すると，完全な密閉を行えない。
【００１１】
本発明は上記問題を解消するためになされたもので，その目的は，荷台の開口部の縁を構造的に変更することなく，ウイング式屋根と開口部の縁との間の密閉を行うことができる密閉構造物を提供することである。
【００１２】
本発明の他の目的は，固定具を使用しても，ウイング式屋根と開口部の縁との間の密閉を行うことができる密閉構造物を提供することである。
【００１３】
さらに，本発明の他の目的は，剛性が維持できる上記密閉構造物を提供することである。
【００１４】
【課題を解決するための手段】
上記目的を達成する本発明の密閉構造物は，箱形荷台の開口部を，枢着された断面L字形屋根により密閉する密閉構造物であって，屋根の，開口部の縁に面する端部にそって，可撓片が下方に伸びたウェザーストリップが取り付けられ，開口部の縁の内側部と外側部との間に傾斜部が形成され，屋根が開口部を閉じたときに，可撓片が縁の傾斜部に接するものである。
【００１５】
さらに，L字形屋根の端部に取り付けられる細片と，開口部の縁の外側部で，細片に対応する位置に設けられ，固定のために細片と係合可能な固定具と，を有してもよい。ここで，細片は，水平部と，該水平部の縁から垂直に伸びる垂直部とからなり，水平部は，屋根の端部の内側に伸びる水平溝に嵌合して，固定され，ウェザーストリップは，屋根の端部の下面に取り付けられる。
【００１６】
また，荷台の開口部は，荷台に枢着された煽り部と，屋根により開閉されてもよく，このとき，開口部の縁の傾斜部は，煽り部の上部と外側部との間の形成される傾斜部である。
【００１７】
本発明の他の，箱形荷台の開口部を，枢着された断面L字形屋根により密閉する密閉構造物は，屋根の，開口部の縁に面する端部に取り付けられた細片と，開口部の縁の外側部で，細片に対応する位置に設けられ，固定のために細片と係合可能な固定具と，を有してなる。ここで，屋根の端部にそって，ウェザーストリップが取り付けられ，ウェザーストリップは，下方に伸びた可撓部を有し，細片は，水平部と，該水平部の縁から垂直に伸びる垂直部とからなり，水平部は，屋根の端部の内側に伸びる水平溝に嵌合して，固定され，ウェザーストリップは，屋根の端部の下面に取り付けられる。
【００１８】
好適には，荷台の開口部は，荷台に枢着された煽り部と，屋根により開閉され，固定具は，煽り部の外側部に設けられる。また，屋根の端部の外側下方に，外側伸長部が伸長し，その伸長部にも細片の垂直部が固定されることが望ましい。
【００１９】
【発明の実施の形態】
図６に本発明にしたがった密閉構造の一実施例が示されている。屋根3の端部10は，従来と同様に伸長する伸長部3’を有し，また，端部10の下面に，ウェザーストリップ12が嵌合できる溝が，長手方向に形成されている。
【００２０】
端部10に嵌合され，固定されるウェザーストリップ12は，断面が略O状の本体部12aと，その本体部12aから伸長する可撓部12bとを有している。
【００２１】
煽り部4も従来と同様に，荷台の縁に枢着され，複数の細長い部材が構成され，ボルト6により締め付けられている。ボルト6の頭部は，煽り部4の上部31から突き出ている。この煽り部4の上部31と外側部32を有するが，それらの間に，本発明の特徴である傾斜部33が形成されている。
【００２２】
傾斜部33の傾斜は好適に45°（水平面に対して）であるが，これに限定されず，可撓部12bが長いときは，傾斜角度が大きく，逆に可撓部12bが短いときは，傾斜角度は小さくなる。しかし，荷台，屋根の大きさ，密閉度の程度などにより種々の傾斜角度を選択してもよい。
【００２３】
図示のように，屋根3が回動して，荷台の開口部を閉じるとき，ウェザーストリップ12の可撓片12bは，既に閉じた煽り部4の上部31と外側部32との間の傾斜部33と接することになる。可撓部12bは，煽り部4の上部31から突き出たボルト6と接することがないため，完全な密閉を形成することができる。
【００２４】
この実施例は，ボルトが上部から突き出た煽り部が取り付けられた荷台に関するものであるが，たとえば，ボルトなど密閉を妨げる障害物がないが，屋根の取り付け，または長年の使用により，屋根の端部に歪みが生じる場合でも，可撓部12bは傾斜部33と常に接触可能となっているために，確実な密閉を行うことできる。
【００２５】
図７は，本発明にしたがって，固定具を有するときの，密閉機構の他の実施例を示す。この実施例において，固定部は，図４に示されていものが使用され，固定具により固定される細片21も，水平部21aと垂直部21bとからなる。また，ウェザーストリップ12を嵌合し，取り付けるための溝11が，屋根の端部10の下面に設けられている。この実施例の特徴は，屋根の端部10に，溝11とは別で，かつ内部に細片21の水平部21aが嵌合できる水平溝26が形成されていることである。
【００２６】
この水平溝26は，端部10の長手方向に伸長する溝11とは異なり，細片21が配置されるべきところにのみ形成される。さらに，水平溝26は，溝11の上部に位置するため，水平溝26内に，細片21の水平部21aが嵌合，取り付けられても，ウェザーストリップ12の溝11への取り付けに全く支障がない。
【００２７】
端部10は，垂直に伸長する伸長部3’を有するが，この伸長部3’に，細片21の垂直部21bが固定される。したがって，細片21は固定具（図４を参照）による力に抗することができる。
【００２８】
図７の実施例において，煽り部4の上部31と外側部32とはほぼ垂直であるが，図６に示されている実施例のように，それらの間に傾斜部を形成してもよい。
【００２９】
【効果】
上記説明したように，本発明にしたがって，荷台の開口部の縁に傾斜部を形成することにより，屋根に歪みが生じても，あるいは，開口部の縁に密閉を妨げるもの，たとえば煽り部の上部に突き出たボルトがあっても，断面L字形屋根の端部に取り付けられたウェザーストリップの可撓片が，その傾斜部に接し，屋根は確実に開口部を密閉することができる。
【００３０】
また，ウイング式屋根を固定する固定具を使用するときに，屋根に取り付けられ，固定具による力の作用を受ける細片を，ウェザーストリップを切り欠きすることなく，屋根の端部に取り付けることができる。
【００３１】
さらに，細片の垂直は，屋根の端部から伸長した伸長部に固定することができることから，剛性を維持することでき，したがって，屋根を確実に固定することができる。
【図面の簡単な説明】
【図１】図１は，ウイング式屋根をもつ車両の斜視図を示す
【図２】図２は，図１の車両の斜視図とともに，煽り部の分解斜視図を示す
【図３】図３Aは，ウイング式屋根に取り付けられたウェザーストリップと，ボルトが突き出た煽り部との接触状態を示し，図３Bは，ウイング式屋根に取り付けられたウェザーストリップと，ボルトを覆う覆い部のある煽り部との接触状態を示し，図３Cは，ウイング式屋根に取り付けられたウェザーストリップの本体部が煽り部と干渉し，屋根が閉まらない状態を示す。
【図４】図４Aは，ウイング式屋根を固定する固定具が設けられた車両の斜視図を示し，図４Bは，ウイング式屋根に取り付けられた細片および煽り部に取り付けられた固定具を示す。
【図５】図５Aは，ウイング式屋根に取り付けられたウェザーストリップの一部を切り欠きして，L字形の細片の水平部を屋根の端部に取り付けた状態を示し，図５Bは，ウイング式屋根の伸長部のみ，平坦な細片を取り付けた状態を示す。
【図６】図６は，本発明にしたがって，煽り部に形成された傾斜部に，ウイング式屋根に設けられたウェザーストリップが接触する動作を示す。
【図７】図７は，本発明にしたがって，固定具と係合する細片がウイング式屋根の端部に嵌合した状態を示す。
【符号の説明】
3    ウイング式屋根
3’  伸長部
4    煽り部
10    端部
11    溝
12    ウェザーストリップ
12a  ウェザーストリップの略O状の本体部
12b  可撓片
31    上部
32    外側部
33    傾斜部
【図１】
0003824138.tif 000002
【図２】
0003824138.tif 000003
【図３】
0003824138.tif 000004
【図４】
0003824138.tif 000005
【図５】
0003824138.tif 000006
【図６】
0003824138.tif 000007
【図７】
0003824138.tif 000008